(57)【要約】【課題】ダブル式屋根リフォーム工法において用いたときに、新折板を長手方向への熱伸縮が吸収され得るように連結できるために、新折板に湾曲変形が生じることのない新折板の取付金物を提供する。【解決手段】タイトフレームの頂部で旧折板の上に固着される支持台と、支持台に装着される可動掛止片とからなり、可動掛止片の上端部に左右両新折板の縁が共に止められる掛止部を設けてなる新折板の取付金物において、支持台の上端部に、可動掛止片が下端部で差し込まれることにより前後動可能に支持される案内溝を設け、案内溝の中に可動掛止片に通される係合ピンが左右通しに設けられ、可動掛止片の側面には、支持台の上面に摺動可能に受け止められるスライド係合翼を突設し、それよりも下のスライド脚に係合ピンが通される前後方向の長孔を設けた。【選択図】    図１
2009035919.tif 000002
【特許請求の範囲】
【請求項１】
旧折板の上に新折板を葺くダブル式屋根リフォーム工法に用いる金物であって、タイトフレームの頂部で旧折板の上に固着される支持台と、支持台に装着される可動掛止片とからなり、可動掛止片の上端部に左右両新折板の縁が共に止められる掛止部を設けてなる新折板の取付金物において、支持台の上端部に、可動掛止片が下端部で差し込まれることにより前後動可能に支持される案内溝を設け、案内溝の中に可動掛止片に通される係合ピンが左右通しに設けられ、可動掛止片の側面には、支持台の上面に摺動可能に受け止められるスライド係合翼を突設し、それよりも下のスライド脚に係合ピンが通される前後方向の長孔を設けたことを特徴とするダブル式屋根リフォーム工法に用いる新折板の取付金物。
【請求項２】
支持台は、ねじボルトで止められる左右一対の脚立体からなり、上端部において両脚立体に相対面する間が広くなるように段差退面を形成し、両脚立体には、それぞれ上面から段差退面に至る逆Ｌ字形のプラスチック部材を接着することにより、前記案内溝の内面およびスライド係合翼が受けられる上面を金物よりも軟質面としたことを特徴とする請求項１記載のダブル式屋根リフォーム工法に用いる新折板の取付金物。
【請求項３】
可動掛止片については、板金を下端で二つ折りすることによりその一片の上端を外側へ反転屈折する掛止部として形成し、他片を前記一片の中途において外側へ屈折してスライド係合翼として形成し、スライド係合翼より下部を二つ折りを複数にて鋲止めしてなるスライド脚として形成し、長孔が鋲止めの間において形成されたことを特徴とする請求項１又は２記載のダブル式屋根リフォーム工法に用いる新折板の取付金物。
【請求項４】
可動掛止片のスライド係合翼の先端縁に前後幅の中央部において中央位置を示す切欠を設け、スライド係合翼が係るプラスチック部材の上面には前後幅の中央位置を示す筋を切欠の位置合わせとして設けたことを特徴とする請求項１，２又は３記載のダブル式屋根リフォーム工法に用いる新折板の取付金物。
【発明の詳細な説明】
【技術分野】
【０００１】
この発明は、既存の旧折板を残してその上に新折板を葺くダブル式屋根リフォーム工法において、旧折板の上に固着する新折板の取付金物に関する。
【背景技術】
【０００２】
折板屋根が腐朽したときのリフォーム工法については、既存の旧折板を撤去する屋根作業や廃棄処分作業に多大の労力および経費を要することから、旧折板はそのままに残して、その上に新折板を葺くダブル式リフォーム工法が取られることがある。この場合、旧折板は、屋根の梁等の上に配置されているタイトフレームに支持されているので、その頂部の位置において旧折板の上に取付金物を固着し、取付金物に左右の新折板が同時に連結されて止められる。
【０００３】
取付金物の構造ないし型式については様々であるが、旧折板の頂部に固定される支持台に、上端が反転屈折する掛止片を具備したものでは、掛止片の上端の反転屈折した屈折部に左右の新折板の縁が挟み重ねるように掛け止められ、掛止部を間にして加締められるとともに他の箇所では左右の新折板が直接縁同志で加締められて連結される。
【０００４】
図４は、このような型式の取付金物Ｑの従来例として、左右旧折板１１７，１１７の拝み接合起立部１００を有する頂部に設置する型式のものを示したもので、金物本体としての支持台１０１と、それに装着される掛止片１０２とからなり、支持台１０１は、左右一対の脚立体１０３，１０４をねじボルト１０８で締めて前記接合起立部１００を挟み付けて取り付けてあるが、両脚立体１０３，１０４は高さが異なっており、支持台１にはその段差がある上面にプラスチック製の段差キャップ１０６が被着されていた。
【０００５】
また、掛止片１０２は、座面部１０９の端から起立片１１０が屈折するＬ字形であって、上端部に反転屈折する掛止部１１３を有するもので、Ｌ字形の屈折部分を段差キャップ１０６の段差に添わせた状態で、座面部１０９をキャップ１０６の低い段にねじボルト１１１で止めて一体化して使用されていた。
【発明の開示】
【発明が解決しようとする課題】
【０００６】
上記のような従来の新折板の取付金物Ｑによれば、左右脚立体１０３，１０４をタイトフレーム１１５の頂部に旧折板１１７，１１７の上からねじ１１９，１１９で止め、掛止片１０２の掛止部１１３に左右の新折板１１８，１１８を掛け止めるとともに、左右新折板を全長にわたって加締めることにより（図４は加締め前の掛け止め状態を示す）、新折板の葺き作業がなされる。そこで、左右新折板１１８，１１８と取付金物Ｑとは一体であるために、太陽熱や外気の影響で新折板が山の長手方向に熱伸縮したときに、取付金物Ｑと取付金物Ｑとの間において、伸長に伴う湾曲変形が発生するという不都合があった。
【０００７】
この発明は、上記のような実情に鑑みて、ダブル式屋根リフォーム工法において用いたときに、新折板を長手方向への熱伸縮が吸収され得るように連結できるために、新折板に湾曲変形が生じることのない新折板の取付金物を提供することを課題とした。
【課題を解決するための手段】
【０００８】
上記の課題を解決するために、この発明は、旧折板の上に新折板を葺くダブル式屋根リフォーム工法に用いる金物であって、タイトフレームの頂部で旧折板の上に固着される支持台と、支持台に装着される可動掛止片とからなり、可動掛止片の上端部に左右両新折板の縁が共に止められる掛止部を設けてなる新折板の取付金物において、支持台の上端部に、可動掛止片が下端部で差し込まれることにより前後動可能に支持される案内溝を設け、案内溝の中に可動掛止片に通される係合ピンが左右通しに設けられ、可動掛止片の側面には、支持台の上面に摺動可能に受け止められるスライド係合翼を突設し、それよりも下のスライド脚に係合ピンが通される前後方向の長孔を設けたことを特徴とするダブル式屋根リフォーム工法に用いる新折板の取付金物を提供する。
【０００９】
ダブル式屋根リフォーム工法に用いる新折板の取付金物を上記のように構成したから、これを使用するときには、タイトフレームの頂部において支持台を旧折板の上に固着し、支持台から立っている可動掛止片の上端の掛止部に左右の新折板の縁を掛け止めるとともに、全長にわたっても掛け止めながら、掛止部の箇所ばかりでなく全長にわたって加締める。この作業手順は従来と同じである。
【００１０】
そのため、左右新折板は、可動掛止片に固着されていることになるが、可動掛止片は、支持台の上端部に有する案内溝に差し込まれ、側部から突出しているスライド係合翼が摺動可能に支持台の上端面に掛かっており、しかも、支持台の案内溝に有する係合ピンと前後方向の長孔で係合しているので、可動掛止片が脱出しなく安定した姿勢を保持することはもちろん、可動掛止片が案内溝に沿って移動可能であるために、新折板が熱伸縮しても、前後方向の伸縮がその移動により吸収される。なお、新折板の左右方向の熱伸縮はその山形折板形状によりそれ自体に吸収される。
【発明の効果】
【００１１】
以上説明したように、この発明は、ダブル式屋根リフォーム工法において用いたときに、新折板の山に沿った長手方向への熱伸縮が吸収されるために、新折板に湾曲変形が生じることのない新折板の取付金物を提供することに成功したもので、これによれば、新折板の山に沿った言わばリブに抗する湾曲変形を原因とするきしみ音の発生や、取付金物の転倒や脱落、新折板の亀裂などの不都合を防止できるという優れた効果がある。
【００１２】
加えて、請求項２の如くにすれば、可動掛止片の擦れる部分がプラスチック面であるので、可動掛止片の確実な摺動を確保でき、また、可動掛止片の擦れによるきしみ音の発生も防止できる。さらに、請求項３の如くにすれば、スライド脚の二つ折り構造により強度を有する長孔で係合ピンと結合するので、可動掛止片の安定した移動が確保され、また、請求項４の如くにすると、組立て時に長孔に係合ピンを確実に通すことができ、また、可動掛止片の初期位置設定により支障のない移動範囲が確保される。
【発明を実施するための最良の形態】
【００１３】
図１ないし図３は、この発明に係る一実施例を示したもので、そのダブル式屋根リフォーム工法によって既存の旧折板屋根の上に新折板屋根が葺かれ、その間に取付金物Ｐが介在されている。取付金物Ｐは、旧折板７の上に配列される支持台１と、その係合ピン２に長孔４で係合して装着される可動掛止片３との組み合わせからなり、支持台１がタイトフレーム５の頂部に残存する左右旧折板７，７の接合起立部９に締め付けて装着される。そして、支持台１の上に起立する可動掛止片３には、左右新折板１１，１１が連結される。
【００１４】
支持台１は、鋼材等の金属からなる左右一対の脚立体１２，１３からなっている。そこで、この両脚立体１２，１３が前後一対のねじボルト１５，１５により背中合わせのように合体され、合体により上端部に可動掛止片３が差し込まれる隙間としての案内溝１７が生じている。この案内溝１７の両側内面および両脚立体１２，１３の上面が金属よりも軟質となるように、両脚立体１２，１３の上端部に逆Ｌ字形のプラスチック部材１９，１９がそれぞれ接着されている。そして、この案内溝１７の中央部に可動掛止片３を止める係合ピン２が横通しに設けられる。
【００１５】
案内溝１７を隙間として設けるために、両脚立体１２，１３は、上端部に相対向する面が引っ込む段差退面２１，２１が設けられ、その下端の段差よりも下部において接合部２５，２５を形成し、そこにおいて、前記一対のねじボルト１５，１５が一方の脚立体１２に貫通して取り付けられ、他方の脚立体１３にその通し孔２７，２７を設けてある。そこで、ナット２７ａ，２７ａで締めつけて接合部２５，２５で締め付け一体化すると、プラスチック部材１９，１９が内面となる案内溝１７が一定に保持される組立て状態となる（図１，図３）。しかし、係合ピン２に雄ねじボルトが用いられているので、これも同時操作により組み立てられる。そこで、ねじボルト１５，１５と係合ピン２のボルトを同一規格（例えば１７ｍｍボルト）に統一し、電動締具で非常に簡単な操作で一挙にセットできるようにしてある。
【００１６】
係合ピン２にはねじボルトを用いたために、一方の脚立体１３にその通し孔２９を他方の脚立体１２に雌ねじ孔３０を設けた。そこで、両脚立体１２，１３の合体後において、そのねじボルトを通し孔２９から雌ねじ孔３０に螺入される。なお、その際には、可動掛止片３を案内溝１７に差し入れて係合ピン２を長孔４に通してから雌ねじ孔３０に螺入されることになる。また、両脚立体１２，１３の下端には、相互に相反する外側へやゝ傾斜する座面壁３１，３２が設けられる。
【００１７】
なお、本発明によれば、以上の新折板の取付金物Ｐとは違って、タイトフレーム５の頂部に旧折板をその山形頂部で止めるボルトが起立して残存する箇所に設置する金物であることもある。この場合には、それに適合する構造を取ることになる。また、旧折板７の頂部を跨がる一体金物であって、その中央に案内溝を設けた新折板の取付金物であっても良い。
【００１８】
可動掛止片３は、板金をプレス加工し下端で二つ折りにして成形され、上端部に左右新折板１１，１１との結合を長く取るために、上端部が幅広く形成される。そして、二つ折りの一片の上端に反転屈折する掛止部３３を設け、他片をその一片の高さ中途で屈折して頑丈なスライド係合翼３５が形成される。したがって、スライド係合翼３５より下部が二つ折りとなっており、その箇所を前後一対の鋲３４，３４で止めてスライド脚２０が形成され、そこに前後鋲３４，３４の間の強度的に最も強固な箇所において長孔４が形成される。なお、別の実施形態として図示しないが左右一対においてスライド係合翼３５，３５を設けると安定性がさらに良好となる。
【００１９】
スライド係合翼３５の先端の幅中央には三角の切欠２２ｂが設けられ、スライド係合翼３５が係るプラスチック部材１９の上面には幅中央に沿って筋２２ａが設けられる。そこで、新折板の取付金物Ｐを所定の箇所に設ける時に、筋２２ａに切欠２２ｂを合わせることにより、係合ピン２を長孔４に確実に通して組立てることができ、また、そうしておけば、新折板１１，１１の熱伸縮により可動掛止片３が移動しても係合ピン２に支える不都合が防止される。
【００２０】
旧折板７，７の接合起立部９との関係において、支持台１の形状についてさらに説明すると、一方の脚立体１２は、外側面が開放する箱型であって、箱型としての底面側には前記したように段差退面２１の下に接合部２５を有するが、その下には他方の脚立体１３に反する方向の湾入凹壁３７が形成され、そのため下端部では他方の脚立体１３の起立壁との間に空間３８を有する。
他方の脚立体１３については、外側開放のコ字型であって、上端部に前記した段差退面２１を有し、段差よりも下が起立壁となっている。そして、接合起立部９を強固に締め付けうるように、前後幅間には補強壁３９が設けられる。
【００２１】
図１は、取付金物Ｐを用いてダブル式屋根リフォーム工法により新折板１１，１１を葺いた状態を示したもので、支持台１が前記したように旧折板７，７の接合起立部９を挟持してタイトフレーム５の頂部に固着され、その上方では、可動掛止片３の掛止部３３に新折板１１，１１の縁が共に加締められて一体化している。しかし、可動掛止片３が係合ピン２に長孔４との係合により前後方向に移動可能であるので、新折板１１，１１にその方向への熱伸縮が生じてもそれが可動掛止片３の移動により支障なく吸収される。
【図面の簡単な説明】
【００２２】
【図１】この発明に係る一実施例による取付金物で新折板が葺かれたダブル式屋根の断面図である。
【図２】同取付金物の分解斜視図である。
【図３】同取付金物でダブル式屋根リフォーム工法を施工する手順を示す斜視図である。
【図４】従来例を説明するためのダブル式屋根の断面図である。
【符号の説明】
【００２３】
Ｐ  ダブル式屋根リフォーム工法に用いる新折板の取付金物
１  支持台
２  係合ピン
３  可動掛止片
４  長孔
５  タイトフレーム
７  旧折板
１１  新折板
１２，１３  脚立体
１５  ねじボルト
１７  案内溝
１９  プラスチック部材
２０  スライド脚
２１  段差退面
２２ａ  中央位置を示す筋
２２ｂ  中央位置を示す切欠
３３  掛止部
３４  鋲
３５  スライド係合翼
【図１】
2009035919.tif 000003
【図２】
2009035919.tif 000004
【図３】
2009035919.tif 000005
【図４】
2009035919.tif 000006